(57)【特許請求の範囲】
【請求項１】
内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記ピストンを上記シエルの内周に摺動自在に挿入させ、上記シエルと上記プラグとの間にサブシールを介装し、上記液室内に上記ピストンを介して二つの容室を区画し、当該二つの容室は上記ピストンに設けたポートを介して連通させ、更に一方の容室内にスポンジを設けている芳香器。
【請求項２】
内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記シエルと上記プラグとの間にサブシールを介装し、上記液室内に上記シエルと同軸にインナーシリンダを挿入し、上記インナーシリンダ内に上記ピストンを摺動自在に挿入して当該インナーシリンダ内に二つの容室を区画し、二つの容室は上記ピストンに設けたポートを介して連通させ、更に上記インナーシリンダの外側にスポンジを設け、上記一方の容室を上記インナーシリンダに形成した小孔を介してスポンジ側に連通させている芳香器。
【請求項３】
内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記シエルと上記プラグとの間にサブシールを介装し、上記液室内に筒状のスポンジを挿入し、当該スポンジ内に上記ピストンを挿入している芳香器。
【請求項４】
ピストンとプラグとの間にリターンスプリングを介在させている請求項１、２、又は３の芳香器。
【請求項５】
ロッドの外周に軸方向に沿って一つ又は複数の切り欠き溝が形成されている請求項１、２、３、又は４の芳香器。
【発明の詳細な説明】
【技術分野】
【０００１】
本発明は、シエル内に芳香液を封入し、シエルに挿入したロッドの伸縮作動時に当該ロッドの表面に液膜として付着した芳香液をシエル外部で蒸発させて長期間芳香効果を発揮できる芳香器に関し、特に、ロッドに作用する反力を利用して指圧器としても利用できる小型の携帯用芳香器に関する。
【背景技術】
【０００２】
従来、芳香効果を発揮できるものとして、例えば、芳香液をスプレーで飛散させたり、固形の芳香剤や芳香液を浸透させた部材の自然蒸発により行なっているものが知られている。
【０００３】
しかしながら、上記スプレー式の芳香器では芳香液が出すぎて芳香液が無駄になり、人体や衣服に直接接触するため衛生的にも好ましくない場合がある。
【０００４】
又、上記固形式の芳香剤や芳香液を浸透させた部材も芳香剤や芳香液が常に蒸発していることから材料が無駄になり、芳香効果の調整ができず、携帯にも適しない場合がある。
【０００５】
そこで、本出願人は、特許文献１に開示されたような芳香器を開発しているが、この芳香器は、シエルにピストンを介してロッドを摺動自在に挿入し、シエル内にピストンで区画された二つの芳香液の容室を設け、ピストンには二つの容室を連通するポートを設け、更に、ピストンとロッドとはリターンスプリングで常時伸び方向に附勢され、又シエルの開口端部に底部とプラグが着脱自在に取付けられるようにしたものである。
【０００６】
この芳香器によれば、ロッドの伸縮作動時に容室内の芳香液が液膜としてロッドの表面に付着し、リターンスプリングでロッドの外方に押し戻された時この付着した芳香液が蒸発して芳香効果を発揮するようになっている。
【特許文献１】特開２００２-３５１０４公報(図１，要約参照)
【発明の開示】
【発明が解決しようとする課題】
【０００７】
上記の特許文献１に開示された芳香器は、機能上特に欠陥があるわけではないが、次のような不具合の改善が望まれている。
【０００８】
第１に、芳香液の詰代えのためシエルにプラグをねじ結合し、他側にロッドを案内する底部をねじ結合しているが、ねじ部の隙間から芳香液が洩れてしまい残量が不足する場合がある。そこで、プラグを接着して芳香液の洩れを防止すると、逆に、芳香液の詰め代えができなくなる不具合がある。
【０００９】
第２に、芳香液を封入した容室内に芳香液を充満しておくと、ロッドを押し込んだ時ロッド侵入体積分の容積が保障できず、ロッドを十分に侵入できない場合がある。
【００１０】
第３に、シエルの両側開口端部に底部とプラグを着脱自在に結合しているため、部品点数が多く、加工性，組付性，経済性に不利となる。
【００１１】
そこで、本発明の目的は、芳香液の洩れを防止でき、ロッドの侵入体積分の容積を補償してロッドの侵入を容易にし、構造もコンパクトで加工性，組付性，経済性にすぐれ、指圧器としても利用できる芳香器を提供することである。
【課題を解決するための手段】
【００１２】
上記の目的を達成するため、本発明の一つの手段は、内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記ピストンを上記シエルの内周に摺動自在に挿入させ、上記シエルと上記プラグとの間にサブシールを介装し、上記液室内に上記ピストンを介して二つの容室を区画し、当該二つの容室は上記ピストンに設けたポートを介して連通させ、更に一方の容室内にスポンジを設けていることを特徴とするものである。
同じく、他の手段は、内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記シエルと上記プラグとの間にサブシールを介装し、上記液室内に上記シエルと同軸にインナーシリンダを挿入し、上記インナーシリンダ内に上記ピストンを摺動自在に挿入して当該インナーシリンダ内に二つの容室を区画し、二つの容室は上記ピストンに設けたポートを介して連通させ、更に上記インナーシリンダの外側にスポンジを設け、上記一方の容室を上記インナーシリンダに形成した小孔を介してスポンジ側に連通させていることを特徴するものである。
更に別の手段は、内部に液室を備えた有底筒状のシエルと、上記シエルの開口端部に着脱自在に結合したプラグと、上記シエルの底部に形成したガイド孔内にスライド自在に挿入したロッドと、上記ロッドの端部に設けたピストンと、上記液室内に封入した芳香液と、上記ロッドの外端に結合した押し込みノブと、上記シエルの底部内に設けられて上記ロッドの外周に摺接するメインシールと、同じく上記シエルの底部内に設けられて上記メインシールの締代を調節する調整部材とを備えている芳香器において、上記シエルと上記プラグとの間にサブシールを介装し、上記液室内に筒状のスポンジを挿入し、当該スポンジ内に上記ピストンを挿入していることを特徴とするものである。
【００１３】
上記の各手段において、ピストンとプラグとの間にリターンスプリングを介在させているのが好ましい。
【００１４】
更に、ロッドの外周に軸方向に沿って一つ又は複数の切り欠き溝が形成されているのが好ましい。
【００１５】
【００１６】
【００１７】
【発明の効果】
【００１８】
各請求項の発明によれば、次の効果が達成される。
【００１９】
各請求項の発明によれば、シエルとプラグとの間にサブシールが介装されているからシエル内の芳香液の洩れが防止され、残量不足を防止できる。
【００２０】
同じく、ロッドのスライドにより芳香液が液膜としてロッドの表面に付着し、外部で蒸発して芳香効果を発揮する。
【００２１】
同じく、ロッドの外端に押し込みノブを設けているので、ロッドの伸縮作動時に手動でこのノブを使用することにより手に芳香液が付着するのを防止できる。
【００２２】
しかも、このノブは、手のひらに押し当てることにより指圧器としても利用できる。
【００２３】
同じく、ロッドの外周にメインシールを設けてその締代を調節するようにしているから外部に出る芳香液の液膜量が微調整され、芳香効果も調節できる。
【００２４】
請求項４の発明によれば、ピストンがリターンスプリングで附勢されているのでロッドの復帰がスムースに行える。
【００２５】
請求項５の発明によれば、ロッド外周に切り欠き溝が形成されているので、この切り欠き溝内に芳香液を侵入させることにより芳香効果の増大をはかれる。
【００２６】
請求項１、２の発明によれば、ピストンにポートが設けられているのでこのポートを流動する芳香液の流動抵抗で減衰力が発生し、ロッドとノブに対する抵抗力がリターンスプリングと協働して増大し、ノブによる指圧効果を増大できる。
【００２７】
更に、一方の容室内にスポンジを設けたので、これがアキュムレータとしての機能を発揮し、ロッドの侵入体積分の容積を補償し、ロッドの押し込み操作をスムース且つ容易に行える。
【発明を実施するための最良の形態】
【００２８】
以下、本発明の実施の形態を図に基づいて説明する。
【００２９】
本発明の実施の形態に係わる芳香器は図１乃至図６に示しように、シエル１とプラグ３との間にサブシール８を設けており、図３、図４、図５の実施の形態では更にスポンジ１０を設けているものである。
各図に係る実施の形態ではロッド２の端部にピストン５を設けてロッド２をスムースにガイドさせると共にロッド２の抜けを防止しているが、機能上ピストン５は無くても使用可能である。
【００３０】
更に、リターンスプリング４がピストン５の端部に設けられているが、機能上このリターンスプリングは無くても使用可能である。
【００３１】
図１は、本発明の基本的な芳香器の実施の形態を示し、これは、内部に液室Ｐを備えた有底筒状の一体なシエル１と、シエル１の開口端部に着脱自在に結合したプラグ３と、シエル１の底部１ａに形成したガイド孔１ｂ内にスライド自在に挿入したロッド２と、上記液室Ｐ内に封入した芳香液と、ロッド２の外端に結合した押し込みノブ９と、上記シエル１とプラグ３との間に介装したサブシール８とからなるものである。
【００３２】
更に、液室Ｐ内に侵入したロッド２の端部にピストン５を設け、シエル１の底部１ａ内にロッド２の外周に摺接するメインシール７と、このシール７の締代を調節する調整部材６を設けている。
【００３３】
又、ピストン５とプラグ３との間にリターンスプリング４を介在させ、常時ピストン５を介してロッド２を外側に押し出す方向に附勢している。
【００３４】
ピストン５は、液室Ａ内に設けられているがシエル１の内周に摺接させても良い。
【００３５】
プラグ３は、シエル１の内周にねじを介して結合しているが、外周側に結合しても良い。
【００３６】
プラグ３は、図示のように中空にしても良く、又、プラグ３の端部には取付孔１５を形成し、この取付孔１５に携帯用のストラップ（図示せず）を結合するようにしている。
【００３７】
ノブ９は、キャップと指圧器を兼ねており、図示のように外周が湾曲しているのが好ましい。
【００３８】
図２は、他の実施の形態を示し、ロッド２の外周に軸方向に沿って一つ又は複数の切り欠き溝１３が形成されているものである。
【００３９】
この場合は、切り欠き溝１３に沿って芳香液が若干導き出されるようになっている。溝１３の数によって芳香液の流出量を調整できる。
【００４０】
図３は、本発明の他の実施形態に係り、これは、ピストン５がシエル１の内周に摺動自在に挿入され、当該ピストン５が液室Ｐを二つの容室Ａ，Ｂに区画し、二つの容室Ａ，Ｂは、ピストン５に設けたポート１２を介して連通させ、一方の容室Ｂ内にスポンジ１０を設けているものである。
【００４１】
ポート１２は、ピストン５が押し込まれた時容室Ａの芳香液を他方の容室Ｂに流出させ、この時の流動抵抗によって減衰力を発生し、リターンスプリング４と協働してノブ９に抵抗力を与え、ノブ９による指圧効果を増大できるようになっている。
【００４２】
容室Ｂとスポンジ１０は、アキュムレータとして機能し、スポンジ１０による芳香液の吸込みと圧縮によりロッド侵入体積の容積を補償している。
【００４３】
図４は、更に他の実施の形態に係り、これは、液室Ｐ内にシエル１と同軸にインナーシリング１１を挿入し、インナーシリンダ１１内にピストン５を摺動自在に挿入して当該インナーシリンダ１１内に二つの容室Ａ，Ｂを区画し、二つの容室Ａ，Ｂは、ピストン５に設けたポート１２を介して連通させ、更にインナーシリンダ１１の外側にスポンジ１０を設け、上記一方の容室Ｂをインナーシリンダ１１に形成した小孔１４を介してスポンジ１０側に連通させているものである。
【００４４】
ポート１２、スポンジ１０の作用効果は図３の実施の形態と同じである。
【００４５】
更に、図５は、本発明の他の実施形態に係り、これは、液室Ｐ内に筒状のスポンジ１０を挿入し、当該スポンジ１０内にピストン５とリターンスプリング４とを挿入しているものである。
【００４６】
図６は、本発明の更に別の実施の形態に係り、これは、実質的に図１の実施の形態と同じであるが、この実施の形態ではリターンスプリングを省略したものである。
【００４７】
上記各実施の形態では基本的な構成，作用，効果は同じであり、同一の部材には同一の符号を付すことで詳細は省略する。
【図面の簡単な説明】
【００４８】
【図１】本発明の一実施の形態に係る芳香器の縦断正面図である。
【図２】他の実施の形態に係る芳香器の縦断正面図である。
【図３】他の実施の形態に係る芳香器の縦断正面図である。
【図４】他の実施の形態に係る芳香器の縦断正面図である。
【図５】他の実施の形態に係る芳香器の縦断正面図である。
【図６】他の実施の形態に係る芳香器の縦断正面図である。
【符号の説明】
【００４９】
１ シエル
２ ロッド
３ プラグ
４ リターンスプリング
５ ピストン
６ 調整部材
７ メインシール
８ サブシール
９ ノブ
１０ スポンジ
１１ インナーシリンダ
１２ ポート
１３ 切り欠き溝
１４ 小孔
Ａ、Ｂ 容室
Ｐ 液室
【図１】
0004768336.tif 000002
【図２】
0004768336.tif 000003
【図３】
0004768336.tif 000004
【図４】
0004768336.tif 000005
【図５】
0004768336.tif 000006
【図６】
0004768336.tif 000007